(57)【要約】      （修正有）【課題】左官用鏝を準備する手間や費用を軽減することができるとともに、作業効率を向上することができる左官用鏝を提供する。【解決手段】左官用鏝１０は、左官作業者の手で握られる棒状の柄１８と、入隅部の形状に応じた形状を有する第１鏝板２０と、出隅部の形状に応じた形状を有する第２鏝板２２と、一方端部４０ａが柄１８に固定され、他方端部４０ｂが第１鏝板２０に固定された第１連結部４０を有する第１鏝首２４と、一方端部４４ａが柄１８に固定され、他方端部４４ｂが第２鏝板２２に固定された第２連結部４４を有する第２鏝首２６とを備える。第１連結部４０および第２連結部４４は、柄１８の中心側から外側に延びて設けられており、第２鏝板２２は、柄１８の周方向において第１鏝板２０から９０〜２７０度の角度間隔を隔てて位置している。【選択図】図２
0003157389.tif 000002
【実用新案登録請求の範囲】
【請求項１】
左官作業者の手で握られる棒状の柄と、
第１機能を有し、左官材料を押える第１鏝板と、
前記第１機能とは異なる第２機能を有し、左官材料を押える第２鏝板と、
一方端部が前記柄に固定され、他方端部が前記第１鏝板に固定された第１連結部を有する第１鏝首と、
一方端部が前記柄に固定され、他方端部が前記第２鏝板に固定された第２連結部を有する第２鏝首とを備え、
前記第１連結部および前記第２連結部は、前記柄の中心側から外側に延びて設けられており、前記第２鏝板は、前記柄の周方向において前記第１鏝板から９０〜２７０度の角度間隔を隔てて位置している、左官用鏝。
【請求項２】
前記第１機能は、左官対象物における入隅部の左官材料を押える機能であり、前記第２機能は、左官対象物における出隅部の左官材料を押える機能であり、
前記第１鏝板は、前記入隅部の形状に応じた形状を有しており、前記第２鏝板は、前記出隅部の形状に応じた形状を有している、請求項１に記載の左官用鏝。
【請求項３】
前記第１連結部および前記第２連結部は、互いに反対方向に延びて設けられており、前記第１鏝板および前記第２鏝板は、前記柄の周方向において互いに１８０度の角度間隔を隔てて位置している、請求項１または２に記載の左官用鏝。
【請求項４】
前記第１連結部の前記一方端部および前記第２連結部の前記一方端部は、前記柄の同じ側の軸方向端部または互いに反対側の軸方向端部に固定されている、請求項１ないし３のいずれかに記載の左官用鏝。
【考案の詳細な説明】
【技術分野】
【０００１】
本考案は、１つの柄に取り付けられた機能が異なる少なくとも２つの鏝板を用途に応じて使い分けることができる、左官用鏝に関する。
【背景技術】
【０００２】
左官作業に用いられる左官用鏝は、従来より、左官作業の工程（塗付け、仕上げ等）や、左官作業の技法（自然仕上げ、鏡面仕上げ等）や、左官対象物（壁、床等）における左官対象箇所（入隅部、出隅部等）の形状等に応じて様々な種類のものが開発されており、左官作業においては、機能が異なる複数種類の左官用鏝が使い分けられていた（特許文献１参照）。たとえば、壁の入隅部にモルタル等を塗る際には、当該入隅部の形状に応じた形状の鏝板を有する「入隅部用の左官用鏝」が使用され、出隅部にモルタル等を塗る際には、当該出隅部の形状に応じた形状の鏝板を有する「出隅部用の左官用鏝」が使用されていた。
【先行技術文献】
【特許文献】
【０００３】
【特許文献１】特開２００７−１９８０２４号公報（特に段落［００１０］参照）
【考案の概要】
【考案が解決しようとする課題】
【０００４】
従来では、左官作業の工程や左官対象箇所の形状等に応じて機能が異なる複数種類の左官用鏝が使い分けられていたので、１つの作業現場においても複数種類の左官用鏝を準備しなければならず、その準備が面倒であるとともに、左官用鏝の費用が高くなるという問題があった。また、実際の左官作業においては、複数種類の左官用鏝を作業工程に応じて持ち替えなければならなかったため、作業効率が悪いという問題があった。
【０００５】
本考案は、上記課題を解決するためになされたものであり、左官用鏝を準備する手間や費用を軽減することができるとともに、作業効率を向上することができる、左官用鏝を提供することを目的とする。
【課題を解決するための手段】
【０００６】
上記課題を解決するために、本考案の左官用鏝は、左官作業者の手で握られる棒状の柄と、第１機能を有し、左官材料を押える第１鏝板と、前記第１機能とは異なる第２機能を有し、左官材料を押える第２鏝板と、一方端部が前記柄に固定され、他方端部が前記第１鏝板に固定された第１連結部を有する第１鏝首と、一方端部が前記柄に固定され、他方端部が前記第２鏝板に固定された第２連結部を有する第２鏝首とを備え、前記第１連結部および前記第２連結部は、前記柄の中心側から外側に延びて設けられており、前記第２鏝板は、前記柄の周方向において前記第１鏝板から９０〜２７０度の角度間隔を隔てて位置している。
【０００７】
この構成では、機能が異なる２つの鏝板（すなわち第１鏝板および第２鏝板）が、１つの柄に対して一体的に取り付けられているので、１つの左官用鏝を２種類の左官作業に用いることが可能であり、作業現場に準備すべき左官用鏝の数を減らすことができる。また、第１鏝板および第２鏝板が柄の周方向に９０〜２７０度の角度間隔を隔てて設けられているので、左官作業者は、手で握った柄をその軸線を中心として回転させることで、第１鏝板および第２鏝板を迅速に切り替えて使用することが可能であり、２つの左官用鏝を持ち替えて使用する手間を軽減して作業効率を高めることができる。さらに、第１鏝板および第２鏝板の角度間隔が９０〜２７０度の範囲内で設計されているので、左官用鏝全体の重心が著しく偏るのを防止して、適度な重量バランスを得ることが可能であり、作業性を高めることができる。
【０００８】
前記第１機能は、左官対象物における入隅部の左官材料を押える機能であり、前記第２機能は、左官対象物における出隅部の左官材料を押える機能であり、前記第１鏝板は、前記入隅部の形状に応じた形状を有しており、前記第２鏝板は、前記出隅部の形状に応じた形状を有しているものであってもよい。
【０００９】
建築物の壁等においては入隅部と出隅部とが共に存在しているのが通常であり、従来では、「入隅部用の左官用鏝」と「出隅部用の左官用鏝」とを頻繁に持ち替えて使用していた。したがって、上記構成により、これら２種類の左官用鏝を持ち替える手間を軽減することは、作業効率を高める観点から極めて有効である。
【００１０】
前記第１連結部および前記第２連結部は、互いに反対方向に延びて設けられており、前記第１鏝板および前記第２鏝板は、前記柄の周方向において互いに１８０度の角度間隔を隔てて位置していてもよい。
【００１１】
この構成は、第１鏝板および第２鏝板を互いに正反対の方向に位置させたものであり、左官用鏝全体の重心を柄の中心に近付けることができるので、特に、柄の軸線が鉛直方向に延びるようにして左官用鏝を使用する際に重量バランスが安定し、高い作業性を得ることができる。
【００１２】
前記第１連結部の前記一方端部および前記第２連結部の前記一方端部は、前記柄の同じ側の軸方向端部または互いに反対側の軸方向端部に固定されていてもよい。
【００１３】
この構成では、柄の軸方向中央部には、第１連結部の一方端部および第２連結部の一方端部が固定されていないので、作業者は、柄の軸方向中央部を握ることで、手の力を柄から第１鏝板または第２鏝板に確実に伝えることができる。
【考案の効果】
【００１４】
本考案によれば、「第１機能」を有する第１鏝板および「第２機能」を有する第２鏝板を１つの柄に取り付けているので、機能が異なる複数種類の左官用鏝を準備する手間や費用を軽減することができる。また、左官作業者は、手で握った柄を回転させることで、第１鏝板および第２鏝板を迅速に切り替えて使用することができるので、機能が異なる複数種類の左官用鏝を持ち替える手間を軽減することが可能であり、作業効率を飛躍的に向上することができる。
【図面の簡単な説明】
【００１５】
【図１】図１は、第１実施形態に係る左官用鏝の構成および使用方法（入隅部に対応）を示す斜視図である。
【図２】図２は、第１実施形態に係る左官用鏝の構成を示す図であり、（Ａ）は平面図、（Ｂ）は正面図である。
【図３】図３は、第１実施形態に係る左官用鏝の構成および他の使用方法（出隅部に対応）を示す斜視図である。
【図４】図４は、第２実施形態に係る左官用鏝の構成を示す斜視図である。
【図５】図５は、第３実施形態に係る左官用鏝の構成を示す斜視図である。
【図６】図６は、第４実施形態に係る左官用鏝の構成を示す斜視図である。
【図７】図７は、第５実施形態に係る左官用鏝の構成を示す斜視図である。
【図８】図８は、第６実施形態に係る左官用鏝の構成を示す斜視図である。
【図９】図９は、第７実施形態に係る左官用鏝の構成を示す平面図である。
【図１０】図１０は、第８実施形態に係る左官用鏝の構成を示す平面図である。
【考案を実施するための形態】
【００１６】
以下に、本考案の好ましい実施形態を、図面を参照しながら説明する。
【００１７】
（第１実施形態）
図１に示す第１実施形態に係る左官用鏝１０は、建築物の壁および床等の左官対象物１２の入隅部１４（図１）および出隅部１６（図３）において、モルタルおよび漆喰等のような左官材料（図示省略）を押えるものであり、左官作業者の手Ｈで握られる柄１８と、第１鏝板２０と、第２鏝板２２と、第１鏝首２４と、第２鏝首２６とを備えている。
【００１８】
なお、左官用鏝１０は、柄１８が第１鏝板２０および第２鏝板２２の後端部（すなわち鏝尻）から後方に延びる「元首タイプ」に属するものであり、左官用鏝１０においては、第１鏝板２０および第２鏝板２２が位置する側、すなわち左官対象物１２に向けられる側を「前」、その反対側、すなわち左官作業者に向けられる側を「後」という。
【００１９】
入隅部１４（図１）は、左官対象物１２の２つの面１２ａおよび１２ｂが入り合って構成された角部であり、出隅部１６（図３）は、左官対象物１２の２つの面１２ｃおよび１２ｄが出合って構成された角部であり、左官用鏝１０においては、第１鏝板２０が入隅部１４の形状に応じた形状を有しており、第２鏝板２２が出隅部１６の形状に応じた形状を有している。つまり、第１鏝板２０の曲げ角度が、２つの面１２ａおよび１２ｂが成す角度と一致するように設計されており、第２鏝板２２の曲げ角度が、２つの面１２ｃおよび１２ｄが成す角度と一致するように設計されている。
【００２０】
柄１８は、左官作業者の手Ｈ（図１、図３）の大きさに応じた直径および長さを有する略円柱状の棒状部材であり、木材およびプラスチック等（本実施形態では木材）によって形成されている。なお、柄１８の断面形状は、特に限定されるものではなく、円形の他、四角形、六角形および楕円形等であってもよいし、手Ｈの形状に応じた特別な形状であってもよい。
【００２１】
第１鏝板２０は、図１および図２に示すように、「第１機能」としての「入隅部１４（図１）の左官材料を押える機能」を有する板状部材であり、鏝板本体３０とこれを支持する背板３２とを備えている。鏝板本体３０は、バネ弾性を有する材料（本実施形態ではステンレス）からなり、かつ、左官作業者の手Ｈから受ける力によって容易に弾性変形され得る厚さを有する薄板であり、本実施形態では、入隅部１４を構成する２つの面１２ａおよび１２ｂに対応するように、略直角に折り曲げられている。鏝板本体３０における２つの片３０ａおよび３０ｂの境界に位置する折曲げ部３０ｃは、入隅部１４の形状に応じて所定の曲率を有する円弧面に形成されており、２つの片３０ａおよび３０ｂのそれぞれのコーナー部は、面１２ａおよび１２ｂに対する局所的な当たりを防止するために円弧状に形成されている。
【００２２】
一方、背板３２は、鉄等のような高剛性材料によって容易に変形されない厚さに形成された板状部材であり、本実施形態では、入隅部１４を構成する２つの面１２ａおよび１２ｂに対応するように、略直角に折り曲げられている。そして、この背板３２が、鏝板本体３０における背面後端部の幅方向中央部に接着剤および両面粘着材等によって接合されている。
【００２３】
第２鏝板２２は、図２および図３に示すように、「第２機能」としての「出隅部１６（図３）の左官材料を押える機能」を有する板状部材であり、鏝板本体３６と背板３８とを備えている。鏝板本体３６は、バネ弾性を有する材料（本実施形態ではステンレス）からなり、かつ、左官作業者の手Ｈから受ける力によって容易に弾性変形され得る厚さを有する薄板であり、本実施形態では、出隅部１６を構成する２つの面１２ｃおよび１２ｄに対応するように、略直角に折り曲げられている。鏝板本体３６における２つの片３６ａおよび３６ｂの境界に位置する折曲げ部３６ｃは、出隅部１６の形状に応じて所定の曲率を有する円弧面に形成されており、２つの片３６ａおよび３６ｂのそれぞれのコーナー部は、面１２ｃおよび１２ｄに対する局所的な当たりを防止するために円弧状に形成されている。
【００２４】
一方、背板３８は、鉄等のような高剛性材料によって容易に変形されない厚さに形成された板状部材であり、本実施形態では、出隅部１６を構成する２つの面１２ｃおよび１２ｄに対応するように、略直角に折り曲げられている。そして、この背板３８が、鏝板本体３６における背面後端部の幅方向中央部に接着剤および両面粘着材等によって接合されている。
【００２５】
第１鏝首２４は、図１および図２に示すように、鉄等のような高剛性材料からなる略Ｌ状（図１）の棒状部材であり、第１鏝首２４の一方片が第１連結部４０となっており、第１鏝首２４の他方片が第１固定部４２となっており、第１固定部４２の先端部は、先細り状に尖って形成されている。そして、第１固定部４２が柄１８の軸方向一方端部（本実施形態では前端部）１８ａに軸方向から打ち込まれることによって第１連結部４０の一方端部４０ａが柄１８に固定されており、一方、第１連結部４０の他方端部４０ｂが第１鏝板２０の後端部、すなわち背板３２における背面後端部の幅方向中央部に溶接等によって固定されている。
【００２６】
第２鏝首２６は、図２および図３に示すように、鉄等のような高剛性材料からなる略Ｌ状の棒状部材であり、第２鏝首２６の一方片が第２連結部４４となっており、第２鏝首２６の他方片が第２固定部４６となっており、第２固定部４６の先端部は、先細り状に尖って形成されている。そして、第２固定部４６が柄１８の軸方向一方端部（本実施形態では前端部）１８ａに軸方向から打ち込まれることによって第２連結部４４の一方端部４４ａが柄１８に固定されており、一方、第２連結部４４の他方端部４４ｂが第２鏝板２２の後端部、すなわち背板３８における背面後端部の幅方向中央部に溶接等によって固定されている。
【００２７】
第１鏝首２４の第１連結部４０と第２鏝首２６の第２連結部４４とは、図２（Ａ）に示すように、柄１８の中心側から外側に延びて設けられており、第２鏝板２２は、柄１８の周方向において第１鏝板２０から９０〜２７０度（本実施形態では１８０度）の角度間隔を隔てて位置している。したがって、左官作業者は、柄１８をその軸線Ｌ１（図２（Ｂ））を中心として回転させることによって、第１鏝板２０と第２鏝板２２とを迅速に切り替えて使用することができる。また、互いに反対側に位置する第１鏝板２０および第２鏝板２２によって適度な重量バランスを得ることができる。
【００２８】
また、本実施形態では、第１連結部４０および第２連結部４４が、互いに正反対の方向に延びて直線状に設けられており、第１鏝板２０および第２鏝板２２が、柄１８の周方向において互いに１８０度の角度間隔を隔てて位置している。したがって、柄１８の軸線Ｌ１が鉛直方向に延びている状態（図１、図３）では、左官用鏝１０の重心を柄１８の中心（すなわち軸線Ｌ１）に近付けることが可能であり、特に、当該状態での重量バランスを安定させることができる。
【００２９】
さらに、本実施形態では、「入隅部１４（図１）の左官材料を押える機能（第１機能）」と「出隅部１６（図３）の左官材料を押える機能（第２機能）」とを１つの左官用鏝１０に持たせているので、作業現場に準備すべき左官用鏝の数を減らすことができ、機能が異なる多数の左官用鏝を準備する手間や費用を軽減することができる。
【００３０】
（第２実施形態）
図４に示す第２実施形態に係る左官用鏝５０は、上記の第１鏝板２０および第１鏝首２４（図１〜３）を柄１８の軸方向一方端部１８ａに取り付けるとともに、上記の第２鏝板２２および第２鏝首２６（図１〜３）を柄１８の軸方向他方端部１８ｂに取り付けたものである。つまり、第２実施形態では、第１鏝首２４における第１連結部４０の一方端部４０ａが柄１８の軸方向一方端部１８ａに固定されており、第２鏝首２６における第２連結部４４の一方端部４４ａが柄１８の軸方向他方端部１８ｂに固定されている。
【００３１】
なお、左官用鏝５０の各構成要素は、左官用鏝１０（図１〜３）の各構成要素と同様に構成されているので、互いに対応する構成要素には同じ参照番号を付して、重複する構成の説明は省略する。また、左官用鏝５０においては、使用状態に応じて前後の向きが切り替わり、第１鏝板２０を用いる場合には、第１鏝板２０が位置する側が「前」となり、第２鏝板２２を用いる場合には、第２鏝板２２が位置する側が「前」となる。
【００３２】
第２実施形態では、第１連結部４０と第２連結部４４とが、柄１８の軸方向に間隔を隔てて、柄１８の中心側から外側に延びて設けられており、第２鏝板２２は、柄１８の周方向において第１鏝板２０から９０〜２７０度の角度間隔を隔てて位置している。したがって、左官作業者は、「軸線Ｌ１に対して直交する方向に延びる中心線Ｌ２」を中心として柄１８を回転させることによって、第１鏝板２０を使用する「入隅作業状態」と第２鏝板２２を使用する「出隅作業状態」とを迅速に切り替えることができる。また、互いに反対側に位置する第１鏝板２０および第２鏝板２２によって適度な重量バランスを得ることができる。
【００３３】
（第３実施形態）
図５に示す第３実施形態に係る左官用鏝６０は、上記の第１鏝板２０および第１鏝首２４（図１〜３）を柄１８の軸方向一方端部１８ａに取り付けるとともに、上記の第２鏝板２２および第２鏝首２６（図１〜３）とは異なる第２鏝板６２および第２鏝首６４を柄１８の軸方向一方端部１８ａに取り付けたものである。つまり、第１および第２実施形態では、「第２機能」として「出隅部１６（図３）の左官材料を押える機能」を有しているのに対し、第３実施形態（図５）では、「第２機能」として「入隅部１４（図１）とは異なる入隅部（図示省略）で上記左官材料とは異なる成分の左官材料を押える機能」を有しており、当該機能（第２機能）を達成するために、当該左官材料に適した第２鏝板６２が用いられている。なお、左官用鏝６０においては、第２鏝板６２および第２鏝首６４以外の部分が左官用鏝１０（図１〜３）の構成要素と同様に構成されているので、当該構成要素と対応する部分には、当該構成要素と同じ参照番号を付し、重複する説明は省略する。
【００３４】
第２鏝板６２は、鉄等のような高剛性材料によって容易に変形されない厚さに形成された鏝板本体６６を有しており、上記背板３２，３８に対応する背板は有していない。一方、第２鏝首６４は、第２連結部６８と第２固定部７０とを有しており、第２連結部６８の一方端部６８ａが第２固定部７０を介して柄１８に固定されており、第２連結部６８の他方端部６８ｂが第２鏝板６２（鏝板本体６６）の後端部に溶接等によって固定されている。また、第１鏝首２４の第１連結部４０と第２鏝首６４の第２連結部６８とが、柄１８の中心側から外側に延びて設けられており、第２鏝板６２は、柄１８の周方向において第１鏝板２０から９０〜２７０度（本実施形態では９０度）の角度間隔を隔てて位置している。したがって、左官作業者は、柄１８をその軸線Ｌ１を中心として回転させることによって、第１鏝板２０を使用する「入隅作業状態」と第２鏝板６２を使用する「入隅作業状態」とを迅速に切り替えることができる。また、互いに反対側に位置する第１鏝板２０および第２鏝板６２によって適度な重量バランスを得ることができる。
【００３５】
（第４実施形態）
図６に示す第４実施形態に係る左官用鏝８０は、上記の第１鏝板２０および第１鏝首２４（図１〜３）を柄１８の軸方向一方端部１８ａに取り付けるとともに、上記の第２鏝板６２および第２鏝首６４（図５）を柄１８の軸方向他方端部１８ｂに取り付けたものである。つまり、第３実施形態（図５）では、第１連結部４０および第２連結部６８のそれぞれの一方端部４０ａおよび６８ａが共に柄１８の軸方向一方端部１８ａに固定されているのに対し、第４実施形態（図６）では、第１連結部４０の一方端部４０ａが柄１８の軸方向一方端部１８ａに固定されており、第２連結部６８の一方端部６８ａが柄１８の軸方向他方端部１８ｂに固定されている。
【００３６】
なお、左官用鏝８０の各構成要素は、左官用鏝６０（図５）の各構成要素と同様に構成されているので、互いに対応する構成要素には同じ参照番号を付して、重複する構成の説明は省略する。また、左官用鏝８０においては、使用状態に応じて前後の向きが切り替わり、第１鏝板２０を用いる場合には、第１鏝板２０が位置する側が「前」となり、第２鏝板６２を用いる場合には、第２鏝板６２が位置する側が「前」となる。
【００３７】
第４実施形態では、第１連結部４０と第２連結部６８とが、柄１８の軸方向に間隔を隔てて、柄１８の中心側から外側に延びて設けられており、第２鏝板６２は、柄１８の周方向において第１鏝板２０から９０〜２７０度の角度間隔を隔てて位置している。したがって、左官作業者は、「軸線Ｌ１に対して直交する方向に延びる中心線Ｌ２」を中心として柄１８を回転させることによって、第１鏝板２０を使用する「入隅作業状態」と第２鏝板６２を使用する「入隅作業状態」とを迅速に切り替えることができる。また、互いに反対側に位置する第１鏝板２０および第２鏝板６２によって適度な重量バランスを得ることができる。
【００３８】
（第５実施形態）
図７に示す第５実施形態に係る左官用鏝９０は、上記の第２鏝板２２および第２鏝首２６（図１〜３）を柄１８の軸方向一方端部１８ａに取り付けるとともに、上記の第１鏝板２０および第２鏝首２４（図１〜３）とは異なる第１鏝板９２および第１鏝首９４を柄１８の軸方向一方端部１８ａに取り付けたものである。つまり、第１実施形態では、「第１機能」として「入隅部１４（図１）の左官材料を押える機能」を有しているのに対し、第５実施形態では、「第１機能」として「上記出隅部１６（図３）とは異なる出隅部（図示省略）で上記左官材料とは異なる成分の左官材料を押える機能」を有しており、当該機能（第１機能）を達成するために、第１鏝板９２が用いられている。
【００３９】
第１鏝板９２は、鉄等のような高剛性材料によって容易に変形されない厚さに形成された鏝板本体９６を有しており、上記背板３２，３８に対応する背板は有していない。一方、第１鏝首９４は、第１連結部９８と第１固定部１００とを有しており、第１連結部９８の一方端部９８ａが第１固定部１００を介して柄１８に固定されており、第１連結部９８の他方端部９８ｂが第１鏝板９２（鏝板本体９６）の後端部に溶接等によって固定されている。また、第２鏝首２６の第２連結部４４と第１鏝首９４の第１連結部９８とが、柄１８の中心側から外側に延びて設けられており、第２鏝板２２は、柄１８の周方向において第１鏝板９２から９０〜２７０度の角度間隔を隔てて位置している。したがって、左官作業者は、柄１８をその軸線Ｌ１を中心として回転させることによって、第２鏝板２２を使用する「出隅作業状態」と第１鏝板９２を使用する「出隅作業状態」とを迅速に切り替えることができる。また、互いに反対側に位置する第２鏝板２２および第１鏝板９２によって適度な重量バランスを得ることができる。
【００４０】
（第６実施形態）
図８に示す第６実施形態に係る左官用鏝１１０は、上記の第２鏝板２２および第２鏝首２６（図１〜３）を柄１８の軸方向一方端部１８ａに取り付けるとともに、上記の第１鏝板９２および第１鏝首９４（図７）を柄１８の軸方向他方端部１８ｂに取り付けたものである。つまり、第５実施形態（図７）では、第２連結部４４および第１連結部９８のそれぞれの一方端部４４ａおよび９８ａが共に柄１８の軸方向一方端部１８ａに固定されているのに対し、第６実施形態では、第２連結部４４の一方端部４４ａが柄１８の軸方向一方端部１８ａに固定されており、第１連結部９８の一方端部９８ａが柄１８の軸方向他方端部１８ｂに固定されている。
【００４１】
なお、左官用鏝１１０の各構成要素は、左官用鏝９０の各構成要素と同様に構成されているので、互いに対応する構成要素には同じ参照番号を付して、重複する構成の説明は省略する。また、左官用鏝１１０においては、使用状態に応じて前後の向きが切り替わり、第２鏝板２２を用いる場合には、第２鏝板２２が位置する側が「前」となり、第１鏝板９２を用いる場合には、第１鏝板９２が位置する側が「前」となる。
【００４２】
第６実施形態では、第２連結部４４と第１連結部９８とが、柄１８の軸方向に間隔を隔てて、柄１８の中心側から外側に延びて設けられており、第２鏝板２２は、柄１８の周方向において第１鏝板９２から９０〜２７０度の角度間隔を隔てて位置している。したがって、左官作業者は、「軸線Ｌ１に対して直交する方向に延びる中心線Ｌ２」を中心として柄１８を回転させることによって、第２鏝板２２を使用する「出隅作業状態」と第１鏝板９２を使用する「出隅作業状態」とを迅速に切り替えることができる。また、互いに反対側に位置する第２鏝板２２および第１鏝板９２によって適度な重量バランスを得ることができる。
【００４３】
（第７実施形態）
図９に示す第７実施形態に係る左官用鏝１２０は、入隅部用の第１鏝板２０を第１鏝首２４を介して柄１８の軸方向一方端部１８ａに取り付けるとともに、入隅部用の第２鏝板１２２を第１鏝首１２４を介して柄１８の軸方向一方端部１８ａに取り付けたものであり、第１鏝板２０および第２鏝板１２２のそれぞれが異なる曲率で湾曲した折曲げ部３０ｃおよび１２２ｃを有している。つまり、第７実施形態では、第１鏝板２０が「入隅部において第１曲率で湾曲した角部を形成する機能（第１機能）」を有しており、第２鏝板１２２が「入隅部において第１曲率よりも小さい第２曲率で湾曲した角部を形成する機能（第２機能）」を有している。
【００４４】
（第８実施形態）
図１０に示すに係る左官用鏝１３０は、出隅部用の第２鏝板２２を第２鏝首２６を介して柄１８の軸方向一方端部１８ａに取り付けるとともに、出隅部用の第１鏝板１３２を第１鏝首１３４を介して柄１８の軸方向一方端部１８ａに取り付けたものであり、第２鏝板２２および第１鏝板１３２のそれぞれが異なる曲率で湾曲した折曲げ部３６ｃおよび１３２ｃを有している。つまり、第８実施形態では、第２鏝板２２が「出隅部において第１曲率で湾曲した角部を形成する機能（第１機能）」を有しており、第１鏝板１３２が「出隅部において第１曲率よりも小さい第２曲率で湾曲した角部を形成する機能（第２機能）」を有している。
【００４５】
（その他の実施形態）
上記各実施形態における「第１機能」および「第２機能」は、本発明に適用可能な様々な機能の一例に過ぎず、これらの機能としては、さらに他の機能が採用されてもよく、当該機能に応じて「第１鏝板」および「第２鏝板」の構成が適宜変更されてもよい。たとえば、「第１機能」および「第２機能」として「平坦面において左官材料を押える機能」が採用された場合には、「第１鏝板」および「第２鏝板」として「平坦な板状のもの」が用いられてもよい。また、「第１機能」および「第２機能」として「目地において左官材料を押える機能」が採用された場合には、「第１鏝板」および「第２鏝板」として「目地幅に応じた幅を有する棒状のもの」が用いられてもよい。
【００４６】
また、上記各実施形態では、１つの柄に対して異なる機能を有する２つの鏝板と、これらに対応する２つの鏝首とを取り付けるようにしているが、鏝板および鏝首の数は「少なくとも２つ」であればよく、３つ以上であってもよい。つまり、少なくとも「第１鏝板」、「第２鏝板」、「第１鏝首」および「第２鏝首」を備えていればよく、これらに加えて「第３鏝板」および「第３鏝首」が設けられていてもよい。
【００４７】
さらに、上記各実施形態では、第１連結部の一方端部および第２連結部の一方端部が、柄の同じ側の軸方向端部または互いに反対側の軸方向端部に固定されているが、第１連結部の一方端部および第２連結部の一方端部の少なくとも一方は、柄の軸方向中央部に固定されていてもよい。
【符号の説明】
【００４８】
Ｌ１…  軸線
Ｌ２…  中心線
１０…  左官用鏝
１２…  左官対象物
１４…  入隅部
１６…  出隅部
１８…  柄
１８ａ…  軸方向一方端部
１８ｂ…  軸方向他方端部
２０…  第１鏝板
２２…  第２鏝板
２４…  第１鏝首
２６…  第２鏝首
３０ｃ…  折曲げ部
３２…  背板
３６ｃ…  折曲げ部
３８…  背板
４０…  第１連結部
４０ａ…  一方端部
４２…  第１固定部
４４…  第２連結部
４４ａ…  一方端部
４６…  第２固定部
５０，６０，８０，９０…  左官用鏝
【図１】
0003157389.tif 000003
【図２】
0003157389.tif 000004
【図３】
0003157389.tif 000005
【図４】
0003157389.tif 000006
【図５】
0003157389.tif 000007
【図６】
0003157389.tif 000008
【図７】
0003157389.tif 000009
【図８】
0003157389.tif 000010
【図９】
0003157389.tif 000011
【図１０】
0003157389.tif 000012
【手続補正書】
【提出日】平成21年12月2日(2009.12.2)
【手続補正１】
【補正対象書類名】明細書
【補正対象項目名】０００１
【補正方法】変更
【補正の内容】
【０００１】  本考案は、１つの柄に取り付けられた少なくとも２つの鏝板を用途に応じて使い分けることができる、左官用鏝に関する。
【手続補正２】
【補正対象書類名】明細書
【補正対象項目名】０００６
【補正方法】変更
【補正の内容】
【０００６】  上記課題を解決するために、本考案の左官用鏝は、左官作業者の手で握られる棒状の柄と、左官材料を押える第１鏝板と、左官材料を押える第２鏝板と、一方端部が前記柄に固定され、他方端部が前記第１鏝板に固定された第１連結部を有する第１鏝首と、一方端部が前記柄に固定され、他方端部が前記第２鏝板に固定された第２連結部を有する第２鏝首とを備え、前記第１連結部および前記第２連結部は、前記柄の中心側から外側に延びて設けられており、前記第２鏝板は、前記柄の周方向において前記第１鏝板から９０〜２７０度の角度間隔を隔てて位置している。
【手続補正３】
【補正対象書類名】明細書
【補正対象項目名】０００７
【補正方法】変更
【補正の内容】
【０００７】  この構成では、第１鏝板および第２鏝板が、１つの柄に対して一体的に取り付けられているので、１つの左官用鏝を２種類の左官作業に用いることが可能であり、作業現場に準備すべき左官用鏝の数を減らすことができる。また、第１鏝板および第２鏝板が柄の周方向に９０〜２７０度の角度間隔を隔てて設けられているので、左官作業者は、手で握った柄をその軸線を中心として回転させることで、第１鏝板および第２鏝板を迅速に切り替えて使用することが可能であり、２つの左官用鏝を持ち替えて使用する手間を軽減して作業効率を高めることができる。さらに、第１鏝板および第２鏝板の角度間隔が９０〜２７０度の範囲内で設計されているので、左官用鏝全体の重心が著しく偏るのを防止して、適度な重量バランスを得ることが可能であり、作業性を高めることができる。
【手続補正４】
【補正対象書類名】明細書
【補正対象項目名】０００８
【補正方法】変更
【補正の内容】
【０００８】 前記第１鏝板は、前記入隅部の形状に応じた形状を有しており、前記第２鏝板は、前記出隅部の形状に応じた形状を有していてもよい。
【手続補正５】
【補正対象書類名】明細書
【補正対象項目名】００１４
【補正方法】変更
【補正の内容】
【００１４】  本考案によれば、第１鏝板および第２鏝板を１つの柄に取り付けているので、複数種類の左官用鏝を準備する手間や費用を軽減することができる。また、左官作業者は、手で握った柄を回転させることで、第１鏝板および第２鏝板を迅速に切り替えて使用することができるので、複数種類の左官用鏝を持ち替える手間を軽減することが可能であり、作業効率を飛躍的に向上することができる。
【手続補正６】
【補正対象書類名】実用新案登録請求の範囲
【補正対象項目名】全文
【補正方法】変更
【補正の内容】
【実用新案登録請求の範囲】
【請求項１】
左官作業者の手で握られる棒状の柄と、 左官材料を押える第１鏝板と、 左官材料を押える第２鏝板と、  一方端部が前記柄に固定され、他方端部が前記第１鏝板に固定された第１連結部を有する第１鏝首と、  一方端部が前記柄に固定され、他方端部が前記第２鏝板に固定された第２連結部を有する第２鏝首とを備え、  前記第１連結部および前記第２連結部は、前記柄の中心側から外側に延びて設けられており、前記第２鏝板は、前記柄の周方向において前記第１鏝板から９０〜２７０度の角度間隔を隔てて位置している、左官用鏝。
【請求項２】
前記第１鏝板は、入隅部の形状に応じた形状を有しており、前記第２鏝板は、出隅部の形状に応じた形状を有している、請求項１に記載の左官用鏝。
【請求項３】
前記第１連結部および前記第２連結部は、互いに反対方向に延びて設けられており、前記第１鏝板および前記第２鏝板は、前記柄の周方向において互いに１８０度の角度間隔を隔てて位置している、請求項１または２に記載の左官用鏝。
【請求項４】
前記第１連結部の前記一方端部および前記第２連結部の前記一方端部は、前記柄の同じ側の軸方向端部または互いに反対側の軸方向端部に固定されている、請求項１ないし３のいずれかに記載の左官用鏝。